(57)【要約】      （修正有）【課題】既存の靴用ベルトは、足と靴の甲を押さえることに意識され靴脱げを防止しようとされています。又、抑えることを意識するだけで、足の前滑りを止めることはできていないということと、足の甲という目立つ位置をバンドが覆うため、その靴の持つ本来のデザインが大きく変容してしまう問題があるので、上記のデザイン性の変容と効果を改善した、靴の脱げ防止を目的としたシューズバンドを提供する。【解決手段】柔軟性、弾性部材のバンドが付いたベルト２に穴を2か所明け、最初の穴に靴のヒールを通し、もう一方の穴に足首を通し、足と靴を固定し、歩行時に上下する踵の状態に応じて足が固定され靴の脱げを防止する。【選択図】図１
2014188124.tif 000002
【特許請求の範囲】
【請求項１】
柔軟性と弾性を有する材料でできたベルトに靴のヒールを挿入する第１の穴と、足を挿入する第２の穴を設け、前記第１の穴にヒールを挿入するとともに、前記第２の穴に足首を挿入してなるシューズベルト。
【請求項２】
ベルトを縦には伸びにくく、少なくとも横に伸びのある弾性部材で構成した請求項１記載のシューズベルト。   
【請求項３】
ベルトに靴のヒールに挿入した時に、ズレを防ぐためのストッパーとなる複数個の突起を設けた請求項１又は請求項２のいずれかに記載のシューズベルト。
【請求項４】
ベルトの裏面には粘着剤が塗布されている請求項１乃至請求項３のいずれかに記載のシューズベルト。
【発明の詳細な説明】
【技術分野】
【０００１】
本発明は、履いているうちに伸びてサイズが合わなくなってしまったパンプスなどの靴を履くときに、足の踵を固定して靴が脱げるのを防止し、歩きやすくするための踵脱げを防止するシューズベルトに関するものである。
【背景技術】
【０００２】
パンプスなどの靴が脱げるのを防止するアイテムとして、靴の踵部分に貼り付けて靴と踵との隙間を調整する靴用のクッションからなる靴用パッドや、靴の甲の部分と足の甲の部分を覆うシューズバンドなどが製造、販売されている。
【先行技術文献】
【特許文献】
【０００３】
【特許文献１】実用新案登録第３１４１８２６号公報
【特許文献２】実用新案登録第３１５２７７２号公報
【発明の概要】
【発明が解決しようとする課題】
【０００４】
前記の靴用踵パットは、微調整ができず大き目のパッドを用いると窮屈感があり、それを防止するために小さめのパッドを用いると、踵が浮き上がってしまうのを完全に防止できないという問題点があった。
【０００５】
上記問題点を解決するために提案された特許文献１に示す靴着用補助具は、靴と  足とを靴の土踏まずと足の甲とを全体がゴムバンドによって構成された靴着用補助具により緊諦したものであるが、靴着用補助具を靴に固定していないので、断面積が足の先端に行くに従って小さくなる足の甲に装着された靴着用補助具には歩くたびに靴の先端方向に移動させる負荷が加わり、踵が浮き上がってしまうという問題点があった。
【０００６】
又、上記問題点を解消するために提案された特許文献２に示すシューズバンドは、弾性部の両側に布地等からなるバンド部を設けたものであるが、このものにあっても、靴着用補助具を靴に固定していないので、断面積が足の先端に行くに従って小さくなる足の甲に装着された靴着用補助具には歩くたびに靴の先端方向に移動させる負荷が加わり、踵が浮き上がってしまうという問題点があった。
【０００７】
又、上記問題点を解消するために提案された特許文献３に示すパンプス用ホルダーにあっては、靴の踵に挿入される８の字に交差させた細長いベルトの一端部に穴を複数個設け、長さ調整可能にしたベルトの先端に設けた金具を連結するようにしたものであるが、ベルトの長さが有段であるため微調整ができず、ベルトをきつく締めると足が痛くなり、それを防止するためにベルトを弱く締めると、靴が脱げるのを完全に防止できないという問題点があった。
【課題を解決するための手段】
【０００８】
本発明のシューズベルトは、柔軟性と弾性を有する材料でできたベルトに靴のヒールを挿入する第１の穴と、足を挿入する第２の穴を設け、前記第１の穴にヒールを挿入するとともに、前記第２の穴に足首を挿入してなることを特徴とする。
また、縦には伸びにくく、少なくとも横に伸びのある弾性部材で構成するのが好ましい。
また、靴のヒールに挿入した時に、ズレを防ぐためのストッパーとなる複数個の突起を設けるのが好ましい。
【発明の効果】
【０００９】
本発明のシューズベルトは、柔軟性と弾性を有する材料でできたベルトに靴のヒールを挿入する第１の穴と、足を挿入する第２の穴を設け、前記第１の穴にヒールを挿入するとともに、前記第２の穴に足首を挿入してなることを特徴とするものであるから、シューズベルトは靴に対してずれることが無いとともに、足に対してもずれることが無く、靴が足に対し適切な引張り力で引っ張られた状態で靴を履くことができ、踵が浮き上がってしまうことを防止することができ、靴と足のフィット感を高め歩きやすくすることができるという効果がある。更に、シューズベルトのベルトは柔軟性と弾性を有する材料でできているので足に優しく接し、靴擦れのようなものを生じることがないという効果がある。
請求項２のように、ベルトを縦には伸びにくく、少なくとも横に伸びのある弾性部材で構成したものは、ベルトの幅を過度に広くしたり、ベルトの厚みを過度に厚くすることなく、靴が足に対し適切な引張り力で引っ張られた状態で靴を履くことができるとともに、第１の穴にヒールを挿入するとともに、前記第２の穴に足首を挿入し易いシューズベルトを提供できるという効果がある。
請求項３のように、ベルトに靴のヒールに挿入した時に、ズレを防ぐためのストッパーとなる複数個の突起を設けたものは、靴とベルトとがずれにくいのでベルトは足に優しく接し、靴擦れのようなものを生じることがないという効果がある。
【図面の簡単な説明】
【００１０】
【図１】本発明のシューズベルトの一実施例の正面図である。
【図２】本発明のシューズベルトの一実施例の要部拡大図である。
【図３】本発明のシューズベルトの一実施例の要部断面図である。
【図４】本発明のシューズベルトを靴に装着した状態図である。
【図５】本発明のシューズベルトの使用状態図である。
【発明を実施するための形態】
【００１１】
以下、本発明の形態を説明する。
シューズベルト１は、柔軟性と弾性を有する材料でできたベルト２に靴ＫのヒールＨを挿入する第１の穴３と、足Ｆを挿入する第２の穴４を設け、前記第１の穴３にヒールＨを挿入するとともに、前記第２の穴４に足首Ｆを挿入して使用するようになっている。
【００１２】
ベルト２は、縦には伸びにくく、少なくとも横に伸びのある弾性部材で構成されている。素材としては、例えば、株式会社イノアックコーポレーション社のロングランＴＰＵのものが、柔軟性と弾性を有するとともに、縦に伸びにくく横に伸びやすいものであり、このものを使用することにより足と靴を安定しやすくすることができる。ベルト２は、幅：１０ミリメートル〜１５ミリメートル、厚みが１ミリメートル〜２ミリメートルのものが適していた。特に、幅：１２ミリメートル、厚みが１．５ミリメートルのものが最も適していた。しかし、これら拘るものでは無く、幅と厚みを適宜選択することでベルトとして使用することができるものであれば、ベルトとして使用すれば良いものである。
【００１３】
第１の穴３は、スリット状に形成されており、第１の穴３端部にはベルト２が切欠き効果により切断されるのを防止するため、熱を加えて焼いた焼き部や円弧状の穴からなる切断防止部５が形成されている。第１の穴３の中間位置には、サイズ調整用の調整部６が複数個設けられており、靴のヒールの径や形状に応じて調整部６を切断することにより使用すれば良いものであるが、第１の穴３の長さを変えた商品を複数種類製造し、必要に応じて適切なものを選択できるようにすればよいものである。
【００１４】
第２の穴４は、スリット状に形成されており、第２の穴４端部にはベルト２が切欠き効果により切断されるのを防止するため、熱を加えて焼いた焼き部や円弧状の穴からなる切断防止部７が形成されている。第２の穴４の中間位置には、サイズ調整用の調整部８が複数個設けられており、使用者の足の大きさ、足首の太さに応じて調整部８を切断することにより使用すれば良いものであるが、第２の穴４の長さを変えた商品を複数種類製造し、必要に応じて適切なものを選択できるようにすればよいものである。
【００１５】
靴ＫのヒールＨにベルト１の第１の穴３を挿入した時に、ベルト１が左右にずれるのを防ぐためのストッパーとなる複数個の突起９が設けられている。突起９は、ベルト１の幅方向の両端に跨って形成されているが、ベルト１の幅方向の中央部のみに形成されていても構わないものである。
【００１６】
ベルト１から足を抜いた状態においてベルト１が地面に接触して汚れないようにベルトの裏面における靴と対面する箇所には粘着剤１０が塗布されていてベルト１から足を抜いた状態においてもベルトが靴に張り付くようになっている。
【実施例】
【００１７】
柔軟性、弾力性部材のベルト(２)に足首が入るための切れ込み(４)を設け、尚且つベルトの切れを防ぐための焼や穴を開け(５)、サイズ調整のベルトカットができ、切れないようにするためアール状になる(５)。反対側に靴のヒール部分が入る切れ込みを(３)を開け、左右にズレを防止するためストッパー(９)を取り付ける。
【００１８】
柔軟性、弾力性部材の厚みが１ミリ位から２ミリ位、幅が１センチ位から１．５センチ位、長さ２５センチ位のベルト(１)に(３)のように切れ込み、靴のヒールを挿入する。この時ベルトがずれることを防ぐため凹凸や切れ込みを入れたストッパー(９)を使うことでベルトが安定する。靴の踵部分に沿って柔軟性、弾力性部材のベルト(１)の(４)の部分に足首を挿入する。この時、足首の大きさにより(８)使用することでサイズ調整をすることができ、素材の破れを防ぐため穴を開けることや、焼(５)を入れることで耐久性を増すことができる。足首を後ろから引っ張るため前滑りを止めることができることにより靴と足が脱げにくくなる。又、歩行の運動が上下になるため、株式会社イノアックコーポレーション社製の素材など縦に伸びにくく横に伸びやすい素材を選ぶことでより足と靴を安定しやすくする。
【符号の説明】
【００１９】
１
シューズベルト 
２
ベルと
３
ヒールを挿入する第１の穴
４    足を挿入する第２の穴    
５     切断防止部
６
サイズ調整用の調整部
７    切断防止部
８    サイズ調整用の調整部
９    突起
【図１】
2014188124.tif 000003
【図２】
2014188124.tif 000004
【図３】
2014188124.tif 000005
【図４】
2014188124.tif 000006
【図５】
2014188124.tif 000007